(57)【要約】【課題】簡単な構造で、出入口中央のドア下方に異物が残るのを抑制したエレベーター出入口装置を提供する。【解決手段】エレベーターの出入口を開閉するドアと、前記出入口の下部に設けられて上面に溝を有する敷居と、前記溝を摺動するドアシューと、を備えたエレベーター出入口装置において、前記敷居には、前記溝に沿った水平方向の軸を中心に回転可能な遮蔽帯が設けられ、前記遮蔽帯は、前記ドアの開閉動作に伴って回転するものであり、前記ドアが閉状態のときには前記ドアの面と対向し、前記ドアが開状態のときには中央部分が前記敷居の面と対向する。【選択図】  図２
2022001524.tif 000002
【特許請求の範囲】
【請求項１】
エレベーターの出入口を開閉するドアと、前記出入口の下部に設けられて上面に溝を有する敷居と、前記溝を摺動するドアシューと、を備えたエレベーター出入口装置において、
前記敷居には、前記溝に沿った水平方向の軸を中心に回転可能な遮蔽帯が設けられ、
前記遮蔽帯は、前記ドアの開閉動作に伴って回転するものであり、前記ドアが閉状態のときには前記ドアの面と対向し、前記ドアが開状態のときには中央部分が前記敷居の面と対向することを特徴とするエレベーター出入口装置。
【請求項２】
請求項１に記載のエレベーター出入口装置において、
前記ドアは、かごドアであって、
前記かごドアの閉動作時に、前記遮蔽帯の中央部分が、水平状態から反乗り場側に向かって立ち上がることを特徴とするエレベーター出入口装置。
【請求項３】
請求項１に記載のエレベーター出入口装置において、
前記ドアは、乗り場ドアであって、
前記乗り場ドアの閉動作時に、前記遮蔽帯の中央部分が、水平状態から反かご側に向かって立ち上がることを特徴とするエレベーター出入口装置。
【請求項４】
請求項１に記載のエレベーター出入口装置において、
前記ドアは、前記遮蔽帯を立ち上げるガイド部材を有し、
前記ガイド部材は、前記ドアの閉じ端よりも突出していることを特徴とするエレベーター出入口装置。
【請求項５】
請求項４に記載のエレベーター出入口装置において、
前記ガイド部材は、前記ドアに対してバネを介して固定されていることを特徴とするエレベーター出入口装置。
【請求項６】
請求項４に記載のエレベーター出入口装置において、
前記ドアの開閉動作中、前記ガイド部材は、セフティシューよりも突出量が小さいことを特徴とするエレベーター出入口装置。
【発明の詳細な説明】
【技術分野】
【０００１】
本発明は、エレベーターの出入口装置に関するものである。
【背景技術】
【０００２】
一般に、エレベーターの出入口の敷居には、敷居溝が形成され、ドア本体に設けられたドアシューを敷居溝に沿って摺動させることで、ドアの奥行方向の変位が抑制されている。この敷居溝内に異物が入ると、ドアの動作不良や異音の原因となる場合があるため、保守員や清掃員などが敷居溝内の異物を除去する必要があった。そこで、敷居溝を塞ぐことにより、異物の侵入を防ぐ技術が提案されている。
【０００３】
例えば、特許文献１には、「エレベータの出入口に設けられたドアと、出入口の下縁部に設けられ、上方に開口した敷居溝を有した敷居と、ドアの下部に設けられ、敷居溝に摺動自在に嵌め込まれたドアシューと、を備え、ドアシューは、敷居溝の長手方向に渡ってベルト状に配置され、ドアの開閉に追従して敷居溝内を摺動し、敷居溝を常時遮蔽する構成とした」ことが開示されている。
【先行技術文献】
【特許文献】
【０００４】
【特許文献１】特開２０１１−６２１４号公報
【発明の概要】
【発明が解決しようとする課題】
【０００５】
しかし、特許文献１に記載の技術では、敷居溝を塞ぐベルト状のドアシュー上面から排出される異物を受け止める構造が必要であり、しかも、出入口中央のドア下方には異物が残ってしまう可能性がある。
【０００６】
本発明の目的は、簡単な構造で、出入口中央のドア下方に異物が残るのを抑制したエレベーター出入口装置を提供することにある。
【課題を解決するための手段】
【０００７】
上記課題を解決するために、本発明は、エレベーターの出入口を開閉するドアと、前記出入口の下部に設けられて上面に溝を有する敷居と、前記溝を摺動するドアシューと、を備えたエレベーター出入口装置において、前記敷居には、前記溝に沿った水平方向の軸を中心に回転可能な遮蔽帯が設けられ、前記遮蔽帯は、前記ドアの開閉動作に伴って回転するものであり、前記ドアが閉状態のときには前記ドアの面と対向し、前記ドアが開状態のときには中央部分が前記敷居の面と対向する。
【発明の効果】
【０００８】
本発明によれば、簡単な構造で、出入口中央のドア下方に異物が残るのを抑制したエレベーター出入口装置を提供できる。
【図面の簡単な説明】
【０００９】
【図１】本発明の実施例１に係るエレベーター出入口装置の要部正面図である。
【図２】図１のＡ−Ａ断面図である。
【図３】図１のＢ−Ｂ断面図であり、エレベーター出入口装置の下部を上方から見たときのものである。
【図４】ドアが（全）閉状態となったときの出入口中央下部を示す要部正面図である。
【図５】本発明の実施例２に係る遮蔽帯の正面図である。
【図６】図５のＣ−Ｃ断面図である。
【発明を実施するための形態】
【００１０】
本発明の実施形態について、図面に従って説明する。エレベーターの出入口としては、各乗り場に設けられる乗り場ドアと、乗りかごに設けられるかごドアと、があるが、以下の実施例では、かごドアを例に挙げて説明する。ただし、乗り場ドアについても、同様の構成を適用することが可能である。
【実施例１】
【００１１】
図１は、本発明の実施例１に係るエレベーター出入口装置の要部正面図である。本実施例に係るエレベーター出入口装置は、エレベーターの出入口を開閉する両開き式のドア１（かごドア）と、出入口の上部に設けられてドア１を案内するレール（図示せず）と、出入口の下部に設けられて上面に敷居溝８を有する敷居２と、敷居溝８を摺動するドアシュー（図示せず）と、を備えている。
【００１２】
また、敷居２の上面には、敷居溝８に沿った水平方向（ドア開閉方向）の軸を中心に回転可能な遮蔽帯３が設けられている。この遮蔽帯３は、敷居２のドア開閉方向の中央にある取付部４によって支持され、ドアの開閉動作に伴って回転する構成となっている。遮蔽帯３は、ドア１が上方に位置しない領域では水平状態となって敷居溝８を塞ぎ、ドア１が上方に位置する領域では鉛直状態となってドア１の下端と敷居２との隙間を塞ぐ。さらに、ドア１が上方に位置しない領域のうち、ドア１に近い領域では、ドア１に設けられたガイド部材５が、水平状態の遮蔽帯３を捩りながら徐々に鉛直状態に立ち上げる。このように、遮蔽帯３が徐々に立ち上がることにより、ドア１が閉じる際にドア１の進行方向に存在する異物を除去することができる。ここで、ガイド部材５は、ドア１に対してバネ６を介して固定されているので、その押付力によって、遮蔽帯３を立ち上げることが可能となっている。また、立ち上がった遮蔽帯３は、ドア１に設けられた押さえ部材７によって鉛直状態に保持される。
【００１３】
なお、各ドア１には、ドアが閉動作中に人や物と接触したときにドア１が反転して開くように動作させる安全装置であるセフティシュー（図示せず）が、ドア１の閉じ端より突出した状態で設けられている。本実施例のガイド部材５は、ドア１の開閉動作中にドア１の閉じ端より突出しているが、このセフティシューよりも突出量を小さくすることで、人や物との接触を抑制できる。
【００１４】
図２は、図１のＡ−Ａ線における断面図である。図２に示すように、ドア１が（全）開状態のときには、遮蔽帯３のドア開閉方向中央の部分が敷居２の上面と対向して水平状態となり、敷居溝８の上方が塞がれる。一方、ドア１が（全）閉状態のときには、遮蔽帯３全体がドア１と対向して鉛直状態となり、押さえ部材７によって鉛直状態が保持され、ドア１（かごドア）の反乗り場側の下端と敷居２との隙間が塞がれる。
【００１５】
また、本実施例の取付部４は、遮蔽帯３を敷居２に対して回転可能に支持するだけでなく、遮蔽帯３に水平状態になろうとする自閉力を与えるため、例えばトルクヒンジを用いるのが望ましい。遮蔽帯３は、ドア開閉方向中央にある取付部４から与えられる自閉力によって、ドア１が開く際に取付部４から遠ざかるにつれて、水平状態になって敷居溝８を塞ぐ。
【００１６】
図３は、図１のＢ−Ｂ線における断面図であり、エレベーター出入口装置の下部を上方から見たときのものである。図３に示すように、ガイド部材５は、ドア１が（全）開状態あるいは開閉中では、ドア１の閉じ端よりも突出するように、バネ６を介してドア１に固定されている。また、ガイド部材５の突出部は、斜面または曲面を有しているため、ドア１が閉動作時に遮蔽帯３を立ち上げ易くなっている。さらに、ドア１（かごドア）が閉状態のときには、一方のドアのガイド部材５端部が、他方のドアのガイド部材５端部と突き当たり、出入口中央側（取付部４側）の遮蔽帯３も乗りかご側へ立ち上がる。このため、両開きドア１（かごドア）の閉じ端の下方について、乗りかご側（反乗り場側）の隙間が遮蔽帯３で塞がれ、乗りかご内の異物が出入口中央下方から敷居溝８や昇降路内へ侵入するのを防止できる。
【００１７】
また、ドア１（かごドア）の閉動作時に、遮蔽帯３が水平状態から反乗り場側に向かって立ち上がるので、水平状態のときの遮蔽帯３上にあった異物は、乗りかご内へはじき出される。同様に、ドア１（乗り場ドア）の閉動作時に、遮蔽帯３が水平状態から反乗りかご側に向かって立ち上がるので、水平状態のときの遮蔽帯３上にあった異物は、乗り場側へはじき出される。したがって、異物の発見および回収が容易になるとともに、異物が昇降路内へ落下するのも防止できる。
【００１８】
なお、遮蔽帯３は、ドア１の開閉動作の過程で軸方向のねじれが生じるため、屈曲性を有する材料（例えばゴムやシリコン）で、帯状に形成するのが望ましい。また、遮蔽帯３の長さは、出入口幅よりも長く、ドア１が（全）閉状態のときでも両端がドア１内へ収まる長さとなっている。
【００１９】
図４は、ドア１が（全）閉状態となったときの出入口中央下部を示す正面図である。図４に示すように、両開きのドア１が（全）閉状態のときは、ガイド部材５の先端どうしが相互に押し合うことでバネ６が圧縮され、ガイド部材５の先端がドア１の閉じ端に対して突出せずに、ドア１内に収納される。このように、本実施例によれば、ドア１の下方が、出入口中央を含む出入口幅全域にわたって遮蔽帯３によって塞がれる。したがって、敷居溝８内に異物が入りドア１の駆動中に騒音を発生させるのを防止できる。さらに、敷居２の下方に異物を受けるための特別の構造を設けなくても、昇降路内に異物が落下するのを防止でき、異物回収の手間を節減することが可能となる。
【実施例２】
【００２０】
実施例１では、遮蔽帯として屈曲性のある材料を用いた場合を例に挙げたが、実施例２では、遮蔽帯として、金属など一定の荷重に耐えうる材料と用いた場合を例に挙げる。
【００２１】
図５は、本発明の実施例２に係る遮蔽帯の正面図である。図５に示すように、本実施例の遮蔽帯は、複数の遮蔽片をドア開閉方向に並べ、軸１１を介して連結することで構成されている。また、本実施例では、遮蔽片として、第１の遮蔽片９と、第２の遮蔽片１０と、が交互に並べられており、隣接ずる遮蔽片の回転動作に追従することにより、各遮蔽片が段階的に回転できるようになっている。なお、遮蔽片の数を増やすほど、実施例１のように遮蔽帯の全体が連続的に変形するようになるが、製作効率を考慮すると遮蔽片の数は少ない方が良い。
図６は図５のＣ−Ｃ線における断面図である。図６に示すように、第１の遮蔽片９は、軸１１を支持する凸部が具備されており、この凸部が、ドア開閉方向に延びて隣接する第２の遮蔽片に達している。一方、第２の遮蔽片１０は、第１の遮蔽片９の凸部を受ける凹部が具備されている。また、第２の遮蔽片１０の凹部は、軸１１の周方向に所定角度の空隙１２が形成されているので、隣接する第１の遮蔽片９の回転に対し、空隙分の遅れを伴って第２の遮蔽片１０が回転する。これにより、遮蔽帯を金属など屈曲し難い材料で形成した場合でも、ドア１の開閉動作に応じて、遮蔽帯を鉛直状態にしたり水平状態にしたりすることが可能となっている。したがって、本実施例においても、ドア１が閉状態のときには遮蔽帯が鉛直状態となってドア１下方からの異物侵入を防ぎ、ドア１が開状態のときには遮蔽帯が水平状態となって敷居溝８内への異物侵入を防ぐことができる。なお、本実施例では、第１の遮蔽片９と第２の遮蔽片１０を、異なる形状としたが、軸方向一方に凸部を有し軸方向他方に凹部を有する左右非対称の共通の遮蔽片で形成しても良い。
【００２２】
また、本発明は前述した実施例に限定されるものではなく、様々な変形例が含まれる。例えば、前述した各実施例は本発明を分かりやすく説明するために詳細に説明したものであり、必ずしも説明した全ての構成を備えるものに限定されるものではない。また、各実施例の構成の一部について、他の構成の追加・削除・置き換えをすることが可能である。
【符号の説明】
【００２３】
１    ドア（かごドア）
２    敷居
３    遮蔽帯
４    取付部
５    ガイド部材
６    バネ
７    押さえ部材
８    敷居溝
９    第１の遮蔽片
１０  第２の遮蔽片
１１  軸
１２  空隙
【図１】
2022001524.tif 000003
【図２】
2022001524.tif 000004
【図３】
2022001524.tif 000005
【図４】
2022001524.tif 000006
【図５】
2022001524.tif 000007
【図６】
2022001524.tif 000008